(57)【要約】【課題】先行技術の凝固アッセイで確認された問題を解決する。【解決手段】  本発明は、標準光学基準７８、試料処理構造８８、光源９６及び光学検出ユニット９４を含む濁度アッセイ、例えば血液又は血漿の凝固を実行するための光学システム及び方法に関する。蛍光体ドープガラス等の標準光学基準７８は、制御された光学条件下で一定の光信号を供給する。反応チャンバをもつ微小流体システム等の試料処理構造８８を標準光学基準７８の下又は上に配置することができる。稼働時に凝固する血漿／血液は光学吸収度及び反射特性を変え、それは光学読取ユニット９４に達する光信号の変化をもたらす。蛍光信号などの光信号の変動は、血漿／血液凝固過程等の濁度変動過程の動態を示す。本発明は、光度計測システム、蛍光システム、ラマン分光システム等を含む光学システムを用いて濁度アッセイを実行するために使用される。【選択図】  図１
2019194622.tif 000002
【特許請求の範囲】
【請求項１】
試料を保持するための反応チャンバと、
励起光源と、
光信号を供給するための光学基準と、
光受信機と
を含むアッセイシステムであって、
前記光学基準が、前記励起光を吸収するように配置され、前記光受信機への前記光信号を発生する、アッセイシステム。
【請求項２】
前記反応チャンバが、前記光学基準から発生され前記光受信機によって検出される前記信号を抑制するか又は増強するように配置される、請求項１に記載のアッセイシステム。
【請求項３】
前記反応チャンバが、比色試薬がない状態で試料を保持する、請求項１に記載のアッセイシステム。
【請求項４】
前記励起光源が、２０ｎｍから５０００ｎｍまでにわたる特定の波長を備える、請求項１に記載のアッセイシステム。
【請求項５】
前記光学基準が、蛍光ドープガラス、ステンドガラス、着色ガラス、及びラマン効果を示す材料からなる群から選択される、請求項１に記載のアッセイシステム。
【請求項６】
前記反応チャンバが、ルーメンと、平坦な第１の壁と、前記平坦な第１の壁の反対側にあり、前記平坦な第１の壁に平行である平坦な第２の壁とを含む、請求項１に記載のアッセイシステム。
【請求項７】
前記平坦な第１の壁及び前記平坦な第２の壁が、各々、約２０ｎｍから約５０００ｎｍまでの波長範囲の光に対して光学的に透明である、請求項６に記載のアッセイシステム。
【請求項８】
前記光が、約２０ｎｍから約２０００ｎｍまでの波長範囲にある、請求項７に記載のアッセイシステム。
【請求項９】
前記反応チャンバが、前記光学基準と前記光受信機及び前記励起光源との間に配置される、請求項１に記載のアッセイシステム。
【請求項１０】
前記光学基準が、前記反応チャンバと前記光受信機及び前記励起光源との間に配置される、請求項１に記載のアッセイシステム。
【請求項１１】
前記光学基準が、前記励起光源と前記反応チャンバとの間に配置され、前記反応チャンバが、前記光学基準と前記光受信機との間に配置される、請求項１に記載のアッセイシステム。
【請求項１２】
前記光受信機と前記励起光源とが一体化される、請求項１に記載のアッセイシステム。
【請求項１３】
前記光受信機が、前記光学基準から放出された放出光を検出するための光検出器を含む、請求項１に記載のアッセイシステム。
【請求項１４】
前記反応チャンバの前記第１の平坦な壁及び第２の平坦な壁の各々が、ルーメン表面を含み、前記第１の平坦なルーメンの表面が、１つ又は複数の反応物で被覆される、請求項６に記載のアッセイシステム。
【請求項１５】
前記反応チャンバが、試料入口ポートと反応流体出口ポートとをさらに含む、請求項１に記載のアッセイシステム。
【請求項１６】
前記試料入口ポートが、ｖ形状にされる、請求項１５に記載のアッセイチャンバ。
【請求項１７】
（ｉ）較正された光信号を発生するためのデバイスからなる光学基準を含むシステムを用意するステップと、
（ｉｉ）流体を保持するためのチャンバであり、前記チャンバが、平坦な第１の壁、及び前記平坦な第１の壁の反対側にあり前記平坦な第１の壁に平行である平坦な第２の壁と、流体を保持するためのルーメンとを含み、反応チャンバの前記第１の平坦な壁及び前記第２の平坦な壁がルーメン表面を含み、前記第１の平坦なルーメン表面が１つ又は複数の反応物で被覆される、チャンバと、前記反応チャンバに体液試料を導入するためのＶ字形入口とを含む前記反応チャンバを用意するステップと、
（ｉｉｉ）光源からの励起光を前記反応チャンバ中の前記流体を通して光学基準まで透過させるステップと、
（ｉｖ）前記反応チャンバ中の前記流体を通して光検出器モジュールまで透過された前記光学基準からの放出光を測定するステップと、
（ｖ）前記測定された放出光を前記システムにおいて凝固時間を決定するための所定の標準と比較するステップと
を含む凝固を検出する方法。
【請求項１８】
前記光受信機が、前記光学基準からの反射光、又は前記反応チャンバを通過した二次光を検出するための光検出器を含む、請求項１に記載のアッセイシステム。
【発明の詳細な説明】
【技術分野】
【０００１】
本発明は、標準光学基準、試料処理構造、光源、及び光学検出ユニットを含む、血漿又は血液の凝固を検出するための光学システム及び方法に関する。
【背景技術】
【０００２】
凝固アッセイは、患者の出血又は血栓症の危険性をモニタするための重要な器具であり、出血及び血栓症は共に、直ちに適切に介入が行われなければ致命的な結果をもたらすことがある。これは、適切な血液療法が施される前に患者の止血健康状態を理解する必要があるので救急処置室及び手術室では特に重大である。すべての凝固アッセイの中で、プロトロンビン時間（PT）及び活性化部分トロンボプラスチン時間（APTT）アッセイは、現在、クリニック及び病院で使用されている最も一般的な凝固試験である。
【０００３】
ＰＴ及びＡＰＴＴアッセイを実行する機器は、通常、凝固試薬などの血液試料調製機構と、光学分光測定ユニットとを含む。高いスループット及び良好な精度などの利点にもかかわらず、これらのアッセイには、それをポイントオブケア試験に適用するのを妨げるいくつかの欠点がある。第１に、（１）複雑な試料調製及び測定過程に起因して、サンプリングから結果を得るまで（sampling-to-result）の時間が数日から数週間にわたる。そのような遅い所要時間は、救急処置室又は他のベッドサイド使用（near-patient use）における準リアルタイムな要件を満たすことができない。第２に、（２）大量の血液、すなわち、１ミリリットルを超える血液が、適切な試料処理及び正確な測定のためにこれらの機器で必要とされる。
【０００４】
ラボオンチップイムノアッセイなどの最先端技術の微小流体試料調製による蛍光に基づく技術が、上述の欠点を解決するために開発された。認められている技術の一般的な方法は、免疫反応性断片を含むトロンビン又はプラスミン（両方の因子は凝固反応経路中に発生される）の特定の基質を使用することである。トロンビン又はプラスミンへの暴露の際、基質が開裂され、免疫反応性断片が基質から解放され、それは、凝固過程の動態の指標としての蛍光信号を発生する。これらの技術は、化学反応の低い効率及び免疫反応性断片の安定性に起因して信頼性が不十分であるという欠点がある。追加として、化学製品生産、機器製造、及び最終使用における品質管理のための産業界による要件のため、これらの先行技術の凝固アッセイのコストが増加する。
【０００５】
本明細書で開示される本発明は、先行技術の凝固アッセイにおける遅い所要時間、大きい試料サイズ要件、過剰な生産コスト、試薬安定性の欠如、及び無力という先行技術の凝固アッセイで確認された問題を首尾よく解決して、早急な凝固アッセイ結果に対する救急処置室又はベッドサイド使用の準リアルタイムな要件を満たすために開発された。
【発明の概要】
【課題を解決するための手段】
【０００６】
以下で説明する本発明による蛍光に基づく凝固アッセイ及び他の凝固アッセイは、様々な臨床状況で広く使用することができる。集中化された大きい機器又はポイントオブケア機器が、高スループット凝固アッセイを達成するためにこれらの方法を中心にして開発され得る。例えば凝固カスケードに含まれるいくつかの因子に固有の様々なアッセイは、この技術で実現することができる。
【０００７】
より重要なことには、本明細書で説明する本発明によるコンパクトなポイントオブケアデバイスは、救急処置室、手術室、集中治療室、又は診察室のために開発することができる。開示する本発明の迅速な応答及び小さい試料サイズの要件により、この技術は、例えば血液療法が必要とされるとき、凝固動態の連続モニタリングのために使用できるようになる。一方、本発明は、大規模な新しい機器開発の必要なしに、患者の心臓病及び癌の診断のために現在使用されている既存のイムノアッセイシステム及び／又は微小流体システムで使用することができる。
【０００８】
１つの態様では、本発明は、試料を保持するための反応チャンバと、励起光源と、光信号を供給するための光学基準と、光受信機とを含むアッセイシステムを対象とする。光学基準は、励起光を吸収するように配置され、光受信機への光信号を発生する。
【０００９】
本発明による反応チャンバは、光学基準から発生され光受信機によって検出される信号を抑制するか又は増強するように配置される。１つの実施形態では、反応チャンバは比色試薬がない状態で試料を保持する。
【００１０】
励起光源は、例えば、限定はしないが、２０ｎｍから５０００ｎｍまで、５０ｎｍから２０００ｎｍまで、又は１００ｎｍから１０００ｎｍまでにわたる特定の波長を備える。
【００１１】
アッセイシステムによる光学基準は、例えば、蛍光ドープガラス、ステンドガラス、着色ガラス、及びラマン効果を示す材料からなる群から選択される。反応チャンバは、ルーメンと、平坦な第１の壁と、平坦な第２の壁とを含む。反応チャンバの１つの実施形態では、平坦な第２の壁は、平坦な第１の壁の反対側にあり、平坦な第１の壁に平行である。
【００１２】
本発明の１つの実施形態では、平坦な第１の壁及び平坦な第２の壁は、各々、例えば、約２０ｎｍから約５０００ｎｍまで、又は代替として約２０ｎｍから約２０００ｎｍまでの波長範囲の光に対して光学的に透明である。
【００１３】
本発明の様々な実施形態では、反応チャンバは、光学基準と光受信機及び励起光源との間に配置され、又は光学基準は、反応チャンバと光受信機及び励起光源との間に配置され、代替として、光学基準は、励起光源と反応チャンバとの間に配置され、反応チャンバは、光学基準と光受信機との間に配置される。
【００１４】
アッセイシステムは、光源又は光学基準から放出された放出光を検出するための光検出器、又は反射光もしくは二次光を検出するための光検出器を含む光受信機をさらに含む。１つの実施形態では、光受信機モジュールと光源モジュールとは一体化される。
【００１５】
１つの実施形態では、反応チャンバの第１の平坦な壁及び第２の平坦な壁の各々は、ルーメン表面を含み、第１の平坦なルーメンの表面は、１つ又は複数の反応物で被覆される。反応チャンバは、試料入口ポートと反応流体出口ポートとをさらに含むことができる。第１の入口ポートは、ｖ形状を特徴とすることができる。
【００１６】
別の態様では、本発明は、凝固を検出する方法を対象とする。本発明のこの態様の１つの実施形態では、この方法は、
（ｉ）較正された光信号を発生するためのデバイスからなる光学基準を含むシステムを用意するステップと、
（ｉｉ）流体を保持するためのチャンバであり、チャンバが、平坦な第１の壁、及び平坦な第１の壁の反対側にあり平坦な第１の壁に平行である平坦な第２の壁と、流体を保持するためのルーメンとを含み、反応チャンバの第１の平坦な壁及び第２の平坦な壁がルーメン表面を含み、第１の平坦なルーメン表面が１つ又は複数の反応物で被覆される、チャンバと、反応チャンバに体液試料を導入するための入口、例えばＶ字形入口とを含む反応チャンバを用意するステップと、
（ｉｉｉ）光源からの励起光を反応チャンバ中の流体を通して光学基準まで透過させるステップと、
（ｉｖ）反応チャンバ中の流体を通して光検出器まで透過された光学基準からの放出光を測定するステップと、
（ｖ）測定された放出光をシステムにおいて凝固時間を決定するための所定の標準と比較するステップと
を必要とする。
【００１７】
別の実施形態では、この方法は、
（ｉ）較正された光信号を発生するためのデバイスからなる光学基準を含むシステムを用意するステップと、
（ｉｉ）流体を保持するためのチャンバであり、チャンバが、平坦な第１の壁、及び平坦な第１の壁の反対側にあり平坦な第１の壁に平行である平坦な第２の壁と、流体を保持するためのルーメンとを含み、反応チャンバの第１の平坦な壁及び第２の平坦な壁がルーメン表面を含み、第１の平坦なルーメン表面が１つ又は複数の反応物で被覆される、チャンバと、反応チャンバに体液試料を導入するための入口、例えばＶ字形入口とを含む反応チャンバを用意するステップと、
（ｉｉｉ）光源からの励起光を光学基準を通して反応チャンバ中の流体まで透過させるステップと、
（ｉｖ）光検出器まで透過された光学基準からの反射放出光を測定するステップと、
（ｖ）測定された放出光をシステムにおいて凝固時間を決定するための所定の標準と比較するステップと
を必要とする。
【００１８】
さらなる別の実施形態では、この方法は、
（ｉ）較正された光信号を発生するためのデバイスからなる光学基準を含むシステムを用意するステップと、
（ｉｉ）流体を保持するためのチャンバであり、チャンバが、平坦な第１の壁、及び平坦な第１の壁の反対側にあり平坦な第１の壁に平行である平坦な第２の壁と、流体を保持するためのルーメンとを含み、反応チャンバの第１の平坦な壁及び第２の平坦な壁がルーメン表面を含み、第１の平坦なルーメン表面が１つ又は複数の反応物で被覆される、チャンバと、反応チャンバに体液試料を導入する入口、例えばＶ字形入口とを含む反応チャンバを用意するステップと、
（ｉｉｉ）光源からの励起光を光学基準を通して透過させるステップと、
（ｉｖ）光学基準が、反応チャンバを通過する二次光を発生するステップと、
（ｖ）二次光を光検出器で測定するステップと、
（ｖｉ）測定された二次光をシステムにおいて凝固時間を決定のための所定の標準と比較するステップと
を必要とする。
【００１９】
本発明の前述の及び他の目的、特徴、及び利点は、本発明の好ましい実施形態の以下のより詳細な説明から明らかになるであろう。
【００２０】
本発明は、添付の特許請求の範囲において詳細に説明される。本明細書で説明する本発明のさらなる利点は、添付図面に関連して行われる以下の説明を参照することによって一層よく理解することができる。
【図面の簡単な説明】
【００２１】
【図１】本発明の１つの実施形態による、血漿又は血液試料の凝固中に光源からの励起光及び光学基準からの戻り光の両方を吸収するための凝固システムの二重吸光度光学構成（double absorbance optical configuration）を示す図である。
【図２】本発明の別の実施形態による、血漿又は血液試料の凝固中に試料と光学基準との間の境界に励起光を閉じ込めて、光学基準で発生される光信号を増強させるための凝固システムの反射光学構成を示す図である。
【図３】本発明の別の実施形態による、血漿又は血液試料の凝固中に光源によって励起された光学基準から放出された光を吸収するための凝固システムの送出構成を示す図である。
【図４】光学基準と試料流体との間の距離（ｄ）が、図１、図２、及び図３に関して説明したすべての構成に対して０から大きい値まで、典型的には０ｍｍから２００ｍｍまで変動し得ることを示す図である。
【図５】様々な組成をもつ光学基準を製作する方法を示す図であり、（Ａ）限定はしないがプラスチック、ガラス、及びシリコンなどの基板材料の内部に、限定はしないが蛍光分子、粒子、色素などの光学剤をドープすること、（Ｂ）基板の第１の表面に光学剤の層を化学的に取り付けること、（Ｃ）基板の反対側の表面に光学剤の層を化学的に取り付けること、（Ｄ）物理的方法又は化学的方法のいずれかによって基板の第１の表面に光学剤の層を被覆すること、（Ｅ）物理的方法又は化学的方法のいずれかによって基板の反対側の表面に光学剤の層を被覆することを含む。
【図６】試料処理デバイスの反応チャンバに光学基準を一体化するための例示的な構成を示す図であり、（Ａ）一体化反応チャンバの第１の壁に光学基準を埋め込むこと、（Ｂ）底部部分に反応チャンバの空洞をもつ反応チャンバの第１の壁を形成するために平坦な光学基準を接合すること、（Ｃ）底部部分以外の図６Ｂに示した反応チャンバの残りの部分に光学基準を接合すること、（Ｄ）密閉された反応チャンバの外側に別個の部分として光学基準を配置すること、（Ｅ）一体化反応チャンバの第１の壁の反対側の壁の内に光学基準を埋め込むこと、（Ｆ）残りの部分に反応チャンバの空洞をもつ反応チャンバの反対側の壁を形成するために平坦な光学基準を接合すること、（Ｇ）第１の壁以外の図６Ｆに示された反応チャンバの残りの部分に光学基準を接合することを示す。
【図７Ａ】反応チャンバをもつ微小流体プレートの底面の図であり、試料のための流体入口及び出口と、チャンバに前もって格納された乾燥試薬とを有する反応チャンバの１つの例示的な構成を示す。
【図７Ｂ】図７Ａの側面図である。
【図８】２つの流体入口、すなわち、別々に試料のためのもの及び試薬のためものと、流体出口とをもつ反応チャンバの例示的な構成を含む液体処理デバイスを示す図である。（Ａ）は反応チャンバの斜視図である。（Ｂ）は反応チャンバの上面図である。（Ｃ）は図８Ｂの断面図である。（Ｄ）は図８Ｂの別の断面図である。（Ｅ）から（Ｈ）は、時間＝０から時間＝３まで試薬で反応チャンバを連続充填することを示す図である。（Ｉ）から（Ｌ）は、時間＝４から時間＝７まで試料流体で反応チャンバを連続充填することを示す図である。
【図９】試薬と試料流体とで充填された反応チャンバの断面図である。
【図１０】それぞれ、本発明による複数の反応チャンバを含む例示的な微小流体デバイスの上面図及び底面図である。
【図１１】図１に示した光学構成に基づく本発明の一実施形態と、例示的なアッセイ結果とを示す図である。（Ａ）この特定の実施形態では、ＬＥＤが光源として使用され、蛍光ドープガラスが光学基準として使用され、定量的蛍光検出器が光学検出ユニットとして使用される。（Ｂ）は、（Ａ）で示された本発明による凝固システムの二重吸光度構成の１つの実施形態による、異常な血漿を有するアッセイ群（ｂ）と、正常な血漿を有する対照群（ａ）とからの蛍光信号を示す。異常なアッセイ群結果は、正常な対照アッセイ群からの結果と比較して、遅延した信号変化を示している。
【図１２】図２の光学構成に基づく本発明の一実施形態と、例示的なアッセイ結果とを示す図である。（Ａ）この特定の実施形態では、ＬＥＤが光源として使用され、蛍光ドープガラスが光学基準として使用され、定量的蛍光検出器が光学検出ユニットとして使用される。（Ｂ）は、（Ａ）で示した本発明による凝固システムの二重吸光度構成の１つの実施形態による、凝固した血漿を有するアッセイ群（ａ）と、凝固していない血漿を有する対照群（ｂ）とからの蛍光信号を示す。アッセイ結果は、凝固のない血漿からの信号変化（ｂ）と比較して、凝固した血漿からの増大した信号変化（ａ）を示している。
【図１３】光学データを処理して定量的凝固時間を得るための例示的な数学的方法を示す図である。
【発明を実施するための形態】
【００２２】
１つの態様では、本発明は、反応チャンバ、例えば、微小流体デバイスのチャンバ中の患者の血漿又は血液試料の凝固を検出するためのシステムに関する。システムは、限定はしないが標準蛍光要素などの光学基準部分を含み、標準蛍光要素は、限定はしないが、蛍光体ドープガラス、蛍光基準信号を発生させるために使用される自家蛍光を含むポリマー薄膜又はシートなどである。蛍光要素及び凝固血液／血漿試料の位置決めは、光学基準に達する及び／又は光学基準を出る光エネルギーを変更するように構成される。そのような構成により、本発明によるシステムは、蛍光信号を化学反応から分離する。蛍光信号の変動は、血漿／血液試料凝固過程の動態を示す。
【００２３】
本発明による凝固検出システムは、例えば蛍光検出を用いて凝固アッセイを実行するために使用される。ポイントオブケア（POC）凝固イムノアッセイシステムとして、試料調
製は、微小流体カートリッジで実施することができ、それは、小さい試料容積、すなわち、１ミリリットル未満、好ましくは１００マイクロリトル未満と、低い製造コストとを可能にする。本発明は、湿式化学アッセイのタイプで使用することができ、アッセイ中の吸着、濁度の変化が、試料中の分析物の検出及び定量化のために使用される。典型的な湿式化学アッセイは、免疫化学、酵素、凝血アッセイ、親和力ベース及び核酸ベースアッセイである。異なる光学検出方法が、限定はしないが、濁度、吸収、反射率、蛍光強度、時間分解蛍光、ＮＩＲなどのような様々な実施形態において使用され得る。光学分光又はラボオンチップアッセイシステムなどの従来の凝固アッセイツールと比較して、本発明による凝固システムは、少なくとも、以下の利点を有する。
（１）ポイントオブケア適用を可能にするシステムの向上した携帯性及び高速な所要時間。
（２）システムの試料の処理が、少量、すなわち、１ミリリットル未満の患者の血液又は血漿、好ましくは１００マイクロリットル未満しか必要としない。
（３）蛍光体試薬又は比色試薬などの最新の蛍光アッセイで一般に必要とされるもののような指示薬がアッセイに加えられる必要がない。これは、普通なら免疫反応性試薬、イントラアッセイ化学物質、及び化学反応を必要とすることになるアッセイ処理工程を減少させることによってアッセイプロトコルを簡単にする。本発明により発生される蛍光信号は、単に凝固反応の関数であり、試料に加えられる蛍光体を必要とせず、それは、より低いコストと、より低いバックグラウンド干渉をもたらす。
（４）標準蛍光要素を使用することとともに、蛍光信号と化学反応とを分離することにより、容易で信頼できる品質管理を可能にする。
（５）本明細書で説明する本発明によるシステムは、迅速で費用効率の高い採用、かつ限定はしないが、トロポニンＩのような心臓マーカー又はＤ−ダイマーなどの凝血パラメータに追加情報を与えるマーカーなどの血液中の他の分析物の定量化のための固相イムノアッセイなどの他のバイオマーカー検出システムとの迅速で費用効率の高い統合化を可能にする微小流体、ロボット、及びマニュアル液体輸送システムを含む任意の蛍光システム、様々な液体処理システムで実現することができる。Ｄ−ダイマー試験は、他の臨床検査及び画像診断走査と一緒に、血栓の存在を除外するのを支援するために注文される。
（６）本発明による光学システムの様々な実施形態を含むカートリッジのコストは十分低くて使い捨てにでき、それは、クロス汚染の危険性を減少させる。カートリッジは、好ましくはポリスチレン又はシクロオレフィンなどのポリマーで、製造方法、好ましくは、射出成形又はホットエンボシングによって製造することができる。
（７）光源及び信号検出のために異なる波長を使用し、それによって、バックグラウンド干渉を減少させることができる。光源は、限定はしないが、レーザ、水銀アークランプ、及びＬＥＤからなる群から選択することができる。波長は、例えば、約２０ｎｍから約５０００ｎｍまで、約５０ｎｍから約２０００ｎｍまで、約１００ｎｍから約１０００ｎｍまでにわたる。
【００２４】
光学構成
光学基準と試料反応チャンバとの異なる構成配置をもつ様々な光学構成が、様々な濁度アッセイ、例えば、血液凝固アッセイに関して開示される。本発明の実施形態による各構成の概略図が図１、図２、及び図３に示され、動作原理が以下で説明される。
【００２５】
二重吸光度光学構成
図１に示すように、本発明の１つの実施形態によれば、二重吸光度光学構成システム１００は、蛍光モジュール９８と、反応チャンバ８８と、蛍光基準７８とを有する。１つの実施形態では、蛍光モジュール９８は、光源９６と、蛍光検出ユニット９４、例えば、限定はしないが、励起のための例えばＬＥＤ（３６０ｎｍ）、及び蛍光放出を定量化するためのフォトダイオード又はマルチピクセルフォトンカウンタ（MPPC）などの光検出器とを使用して時間分解蛍光（TRF）を測定するための検出システムとを共に一体化する。
【００２６】
引き続き図１を参照すると、本発明の１つの実施形態によれば、二重吸光度光学構成システム１００は、光源９６と、光学検出ユニット９４と、光学基準７８と、反応チャンバ８８とを有する。稼働時に、光源９６からの光９５と、光学基準７８からの戻り光９３とは両方とも反応チャンバ８８中の試料を透過し、例えば、試料、血漿、又は血液の濁度変化に起因して吸収される。光源又は励起光９５と戻り又は放出光９３とは、同じ波長又は異なる波長を有することができる。光学基準７８は、限定はしないが汎用の光度計測、蛍光、ラマン分光時間分解蛍光、及び表面増感ラマン分光などの様々な光学技術により実現することができる。１つの実施形態では、蛍光に基づく方法は、光源がＬＥＤであり、光学基準が蛍光ガラスであり、戻り光が蛍光要素からの放出であり、試料が血漿であり、光学検出ユニットが蛍光検出器である状態で、血液凝固時間測定のために使用される。この実施形態では、血漿が反応チャンバ中で凝固するとき、光学検出ユニットで読み取られる蛍光信号は、凝固した血漿による光学吸収度の増加に起因して減少する。
【００２７】
引き続き図１を参照すると、反応チャンバ８８は、血漿又は血液試料と、特別のターゲット凝固アッセイのための試薬とを密閉する。反応チャンバ８８は、第１の壁８６と、第１の壁の反対側の第２の壁８４とを含み、光学基準７８と光源９６及び検出器９４との間に配置される。第１の壁８６は、特定の波長の光に対して光学的に透明であり、第２の壁８４よりも蛍光モジュール９８の近くにある。第２の壁８４は、特定の波長をもつ光に対して光学的に透明であり、第１の壁８６の反対側に、第１の壁８６に平行に、第１の壁８６よりも蛍光基準７８の近くに配置される。反応チャンバ８８中の血漿又は血液試料に加えられる試薬は、反応チャンバ８８中の凝固反応を可能にする。
【００２８】
光学基準７８は、例えば、限定はしないが、蛍光ドープガラス、又は反応チャンバ８８の第２の反対側の壁８４の表面に固定化された蛍光体である。二重吸光度光学構成の実施形態では、蛍光基準７８は、図１に示すように蛍光モジュール９８の反対側の反応チャンバ８８の側に配置される。光学基準７８の目的は、特定の波長の較正光信号を供給することである。
【００２９】
稼働時に、ひとたび血漿又は血液試料凝固過程が開始すれば、ますます多くのフィブリンが形成され、それによって、反応チャンバ８８中の血漿又は血液試料の濁度が増加する。その結果として、試料を通る励起光９５の透過が減少し、光学基準７８の蛍光分子の励起が抑制される。加えて、光学基準７８からの減少した放出光９３は、反応チャンバ８８中の試料を通って蛍光モジュール９８に進むときにさらに吸収され、それが蛍光検出器９４によって検出され測定される。２つの吸光度過程、すなわち、励起光９５が反応チャンバ８８を通って蛍光基準７８に進むときの第１の吸光度と、放出光９３が光学基準７８から反応チャンバ８８を通って進むときの第２の吸光度との組合せ効果が、光検出器９４によって検出される信号変化を生成すると予想される。信号変化は、反応チャンバ８８中の試料の凝固過程を示す。その結果として、この二重吸光度光学構成の光検出器９４によって検出される蛍光信号の減少は、凝固過程が始まったことを示す。時間による信号の相対的変化は、凝固過程（動態、傾き）に関する情報を与える。ＰＴ、ＡＰＴＴなどの異なる凝固パラメータを適切に計算するために、最大信号及び最小信号が決定される。
【００３０】
反射光信号
図２は、本発明の別の実施形態による濁度システム１００’の反射光学構成を示し、蛍光基準７８は、反応チャンバ８８と蛍光モジュール９８との間に配置される。
【００３１】
引き続き図２を参照すると、上述した二重吸光度光学構成システム１００’のような反射光学構成システム１００’は、蛍光モジュール９８と、反応チャンバ８８と、蛍光基準７８とを含む。反射光学構成の１つの実施形態では、蛍光モジュール９８は、光源９６と蛍光検出ユニット９４との両方を一体化しており、例えば、限定はしないが、ＬＥＤ（３６０ｎｍ）光源とＭＰＰＣ（マルチピクセルフォトンカウンタ）検出器とを有する株式会社堀場製作所（日本、京都）からの蛍光リーダーである。
【００３２】
反応チャンバ８８は、血漿又は血液試料と、特定のターゲット凝固アッセイのための試薬とを密閉し、一般に、複数の平坦な壁を有し、それらのうちの少なくとも２つは平行であり、反対側にある。光学基準７８は、反応チャンバ８８と、励起光源９６及び光受信機９４との間に配置される。例えば、反応チャンバ８８は、第１の壁８６と、第１の壁８６の反対側の第２の壁８４とを含む。好ましい実施形態では、第１の壁８６と第２の壁８４とは互いに平行である。代替として、第１の壁と第２の壁とは、互いにある角度で、例えば、４５°の角度で配置されることある。反射光学構成では、第１の壁８６は、特定の波長の光に対して光学的に透明であり、第２の壁８４よりも蛍光基準７８の近くに配置される。第２の壁８４は、第１の壁８６の反対側に、及び第１の壁８６に平行に、及び第１の壁８６よりも蛍光基準７８からさらに離れたところに配置される。第２の壁８４は、光学的に透明であってもなくてもよい。反応チャンバ８８中の血漿又は血液試料に加えられる試薬は、反応チャンバ８８中の凝固反応を可能にする。
【００３３】
光学基準７８は、例えば、限定はしないが、蛍光ドープガラス、又は反応チャンバ８８の第１の壁８６の表面に固定化された蛍光体である。この実施形態では、蛍光基準７８は、図２に示すように、反応チャンバ８８と蛍光モジュール９８との間に配置される。蛍光基準７８の目的は、較正された蛍光信号を供給することである。
【００３４】
稼働時に、ひとたび血漿又は血液試料の凝固過程が開始すれば、ますます多くのフィブリンが形成され、それによって、反応チャンバ８８中の血漿又は血液試料の濁度が増加する。
【００３５】
図２に示すように、反射光学構成では、励起光９５は最初に光学基準７８に達し、次に、反応チャンバ８８中の試料を透過する。言い換えれば、励起光９５の一部分は、反応チャンバ８８を透過する前に光学基準７８の蛍光を励起し、一方、励起光９５の残りの部分は、反応チャンバ８８中の試料を透過する。反応チャンバ８８中の血漿又は血液試料の凝固が開始し広がり、フィブリンの量が試料中で増加するとき、２つの光部分の、すなわち、透過光及び反射光のエネルギー分布は、試料の透過特性の変化に起因して変動する。すなわち、励起光９５の透過が抑制され、より多くの光が、蛍光基準７８と反応チャンバ８８の第１の壁８６との境界に捕捉されて、より多くの蛍光体を励起する。その結果として、この構成で光検出器９４によって検出される蛍光信号の増加は、凝固過程が始まったことを示す。凝血時間は、図１２に示すように、例えば、凝血曲線の一次導関数によって計算される凝血曲線の傾きによって決定することができる（一次導関数の最大値は、凝固の開始時刻を与えている）。最大信号（反応の開始、時点０）及び最小信号（凝固完了）が、凝血時間を決定するために必要である。
【００３６】
透過光学構成
図３は、システムのさらなる別の光学構成１００”を示す。光学基準７８は、光源９６と試料反応チャンバ８８との間に配列され、反応チャンバ８８は、光学基準７８と光学検出ユニット９４との間に配置される。稼働時に、光学基準７８は、光源光９６によって励起され、蛍光信号などの二次光９３を放出する。二次光９３は反応チャンバ８８を通過し、試料の濁度変化に起因して吸収される。光検出器９４は、光学基準７８からの二次光９３の信号を読み取る。信号の定量値は、凝固反応の動態を表す。
【００３７】
図４は、図１、図２、及び図３に関して上述した各構成について光学基準７８と反応チャンバ８８のルーメン８３中の試料との間の距離（ｄ）が約０ｍｍから約２００ｍｍまで変動できることを示している。
【００３８】
図５は、光学基準７８の例示的な構成を示す。非限定例として蛍光特性をもつ光学基準を使用して、光学剤６１は、蛍光分子、粒子、又は他の担体をプラスチック、ガラス、又はシリコン材料基板７８に埋め込むことによって製作することができる（図５Ａ）。代替として、光学蛍光剤は、基板の表面に、上部６０もしくは底部６２の表面、すなわち、第１の表面６０もしくは第１の表面の反対側の第２の表面６２のいずれか、又は両方に化学的に又は物理的に被覆することができる。例えば、図５（Ｂ）に示すように、光学剤６１の層は、物理的手段又は化学的手段によって基板の第１の表面６０に化学的に組み立てることができ、図５（Ｃ）では、光学剤６１の層は、物理的手段又は化学的手段によって基板の第２の表面６２に化学的に組み立てることができ、図５（Ｄ）では、光学剤６１の層は、化学的手段又は物理的手段によって基板の第１の表面６０に被覆することができ、又は図５（ｅ）では、光学剤６１の層は、化学的手段又は物理的手段によって基板の第２の表面６２に被覆することができる。
【００３９】
図６は、反応チャンバ８８と光学基準７８との様々な例示的な構成を示す。本発明による好適な光学構成を形成するために、光学基準７８は、例えば、反応チャンバ８８の密閉壁６４の上部部分又は底部部分に埋め込まれることによって反応チャンバ８８の一体化部分とすることができ、又は、代替として、光学基準は、反応チャンバ８８の上方の外側又は下方の外側に配置された別個の部分とすることができ、本発明による適切な光学構成を形成する。光学基準７８の長軸は励起光に対して垂直であることが好ましい。代替として、励起光は、光学基準７８の長軸に対してある角度をなすことができる。
【００４０】
図６Ａは、１つの実施形態による、反応チャンバ８８の囲い壁６４の第１の壁６５に埋め込まれた例示的な平坦な光学基準７８を示す。代替として、図６Ｂは、反応チャンバ８８の第１の壁６５に接合され、反応チャンバ８８の第１の壁６５を形成する平坦な光学基準７８を示し、反応チャンバ８８のルーメン８３は反応チャンバ８８の第１の壁６５の内側にある。好ましい実施形態では、光学基準７８の長軸は、光源に対して垂直であるか、又は代替として約４５°までの角度をなす。
【００４１】
図６Ｃに示される別の実施形態では、光学基準７８は、反応チャンバ８８の３つの壁、６５、６５”、６５’’’を形成するが、壁６５の反対側の第２の壁６５’のみが光学基準７８の部分ではない。
【００４２】
図６Ｄに示されるさらなる別の実施形態では、光学基準７８は、反応チャンバ８８のいずれの壁からも離れている要素として配置され、光学基準７８の長軸は反応チャンバ８８の少なくとも１つの壁に平行であり、図６Ｅに示されるさらなる別の実施形態では、光学基準７８は、反応チャンバ８８の第２の壁６５’に埋め込まれており、図６Ｆに示されるさらなる別の実施形態では、光学基準７８は、平坦であり、反応チャンバ８８の第２の壁６５’に接合されており、図６Ｇに示されるさらなる別の実施形態では、光学基準７８は、３つの壁及び６５’、６５”、６５’’’を形成し、壁６５’の反対側の第１の壁６５のみが光学基準７８の部分ではない。
【００４３】
試料調製カートリッジ
図１、図２、及び図３に示した凝固システム１００、１００’、及び１００”の実施形態によれば、本発明における試料調製は、マニュアルピペッティングから自動流体制御システムまで様々な方法で達成することができる。上述の凝固アッセイシステムに適用可能な微小流体デバイス及び方法の非限定の例が、以下で与えられる。これらのデバイス及び方法は凝固のためのアッセイに限定されず、アッセイ反応生成物の計量、試薬追加、混合、培養、及び定量化が必要とされる様々な湿式化学アッセイで使用することができる。典型的なアッセイは、乳酸塩又はクレアチニン又は比濁アッセイなどの代謝物質を測定するための酵素反応を使用している。そのような比濁アッセイの例は、濁度の変化によってモニタされ得る分析物の存在下で単分散免疫粒子が錯化しているラテックス凝集反応などの凝集反応アッセイである。
【００４４】
乾燥試薬を有する流れチャンバ
次に、図７Ａ及び７Ｂを参照すると、１つの実施形態では、確定した容積をもつ液体処理デバイス１２０の反応チャンバ８８が、リッド９１で覆われたマイクロチャネルプレート９０によって形成される。反応チャンバは、試料容積を計量するために使用され、１つの流体入口６８が、反応チャンバ８８の底部６０ｂから試料、例えば、血漿を導入するために使用され、反応チャンバ８８の底部６０ｂの１つの流体出口６６が、反応チャンバ８８のルーメン８３からの過度の液体を放出するために使用される。凍結乾燥ＰＴ／ＡＰＴＴ試薬、ビオチンなどのような乾燥試薬が、例えば、反応チャンバ８８に前もって格納され、第１の壁８６のルーメン表面に均一に被覆される。血漿が反応チャンバ８８に充満すると、乾燥試薬が溶け始め、次に、垂直方向に沿って、すなわち、チャンバ８８の底部６０ｂからチャンバの上部６０ａに向かって試料中に拡散する。乾燥試薬は、液体試料との比較的大きい接触面積を有し、垂直方向に沿った拡散距離は比較的短い。この構成は、反応チャンバ８８の横方向の面にわたる均質の凝固過程を実現する。稼働時に、ひとたびチャンバ８８が試料で充填されれば、アッセイ過程が開始し、蛍光信号取得が反応動態に従って始まる。
【００４５】
液体試薬を有する流れチャンバ
図８Ａ〜図８Ｄは、試料流体の調査のための液体処理デバイス１２０を示す本発明の１つの実施形態を示す。液体処理デバイス１２０は、反応チャンバ８８と、それぞれ試料流体及び試薬流体を反応チャンバのルーメン８３に送出するための２つの入口ポート及びチャネル６６及び６８と、充填中の反応チャンバ８８のガス抜きのための出口チャネル６４とを含む。デバイス１２０は、例えば反応チャンバルーメン８３の制御された及び泡のない充填を行うために、１つ又は複数の流体構造６８ａ及び６４ａを含むことができる。
【００４６】
図８Ａ〜図８Ｄに示した液体処理デバイス１２０の１つの実施形態によれば、デバイス１２０の反応チャンバ８８は、最初に、第１の入口６６を介して、計量された量の液体試薬で充填される。泡のない液体充填は、出口６４のすぐ隣のキャピラリストップフィーチャ６４ａによって達成することができる。図８Ａにおいて、例えば、円筒形溝が、キャピラリストップ６４Ａとして働いている。キャピラリストップは、急なチャネル開口によって、及びフィーチャ６４ａの曲率によって、又は出口区域６４を疎水性にすることのいずれかによって規定される。図８Ｅから図８Ｈは、時間＝０から時間＝３までの異なる時点での反応チャンバ８８への試薬の連続充填を示す。計量された量の試薬が反応チャンバ８８のルーメン８３に充満した後、計量された量の試料流体（血漿及び全血など）が、図８Ｉから図８Ｌに示されるように第２の入口６８を介してチャンバルーメン８３に充填される。
【００４７】
図８Ａ〜図８Ｄに示した実施形態の追加の特徴は次の通りである。液体処理デバイス１２０は水平方向に配向される、すなわち、液体処理デバイス１２０の上面図は図８Ｂに示された通りである。入口チャネル６８のｖ形状６８ａは、例えば、３０°の開口角を有する。このｖ形状６８ａは、０°から１８０°まで、典型的には、１５°から１２０°までにわたる角度を有することができる。液体処理デバイス１２０のこの実施形態によれば、第２の入口６８と出口６４とは、液体処理デバイス１２０の上部側６０ａに配置され、一方、第１の入口６６は液体処理デバイス１２０の底部側６０ｂに配置されることにも留意されたい。液体処理構造の上部側及び底部側の入口及び出口の他の配置も可能であり、図示の実施形態によって限定されない。試料及び試薬の流量は、約０．５μｌ／ｓから２００μｌ／ｓまで、典型的には、２μｌ／ｓから１００μｌ／ｓまでにわたることができる。
【００４８】
図９は、試薬及び試料の充填が完了した後の反応チャンバ８８を説明的に例示している。２つの層、すなわち、試薬の層と試料流体の層とが示されている。試料層は、反応チャンバ８８のルーメン８３において流体の表面全体にわたって試薬層の上に広がっている。それゆえに、それは、２つの液体の間、すなわち、試薬と試料との間に大きい接触面積を発生する。この大きい接触面積により、試薬と試料液体との混合、及びそれによって反応が、非常に効率的となる。
【００４９】
図８の図示の実施形態では、入口構造６８のｖ形幾何形状を使用して、反応チャンバ中への試料流体の均一分布をサポートしている。図８ｃ及び図８ｄに示すように、試料入口６８は、反応チャンバ８８の上部６０ａに接続されるが、試薬入口６６は、反応チャンバ８８の底部６０ｂの反対側に配置される。
【００５０】
図１０Ａを参照すると、４つの反応チャンバ８８ａ〜８８ｄを有する微小流体デバイス５０の一実施形態の上面図が示される。図示の実施形態では、反応チャンバ８８ａ〜８８ｄは、微小流体デバイス５０の１つの側の方に配置されているが、微小流体カードにおいて他の位置に配置され得る。
【００５１】
図１０Ｂは、反応チャンバ８８と流体連通する複数のチャネル６７を含む微小流体カード５０の底面図を示す。
【００５２】
原理の例証／証明
血液又は血漿試料の凝固を検出するための上述で論じた凝固システム１００、１００’、１００”と、関連するアッセイ方法との実施形態が、ＰＴ及びＡＰＴＴアッセイのための制御された血漿試料及び試薬を用いて評価された。図１に関して上述した及び図１１Ａに示した二重吸光度構成の例では、この方法に適用された蛍光モジュールはＰＭＴベース時間分解蛍光（ＴＲＦ）ユニットであり、蛍光基準７８は、正確に制御された量のユウロピウムを含んでおり励起中に光退色がないユウロピウムドープガラスであり、ＬＥＤ９６が光源として使用された。フィルタ９５Ａが、ＬＥＤ９６と２色性ミラー９７との間に配置された。第２のフィルタ９５Ｂが、検出器９４と２色性ミラー９７との間に配置された。血漿試料は、Ｉｎｓｔｒｕｍｅｎｔａｔｉｏｎ  Ｌａｂｏｒａｔｏｒｙ  Ｃｏｍｐａｎｙ（オレンジバーグ、ＮＹ）からの正常対照血漿（ａ）及び高異常対照血漿（ｂ）を含んでいた。凝固は、凝固開始剤の導入によって開始された。
【００５３】
図１１Ｂを参照すると、図１及び図１１Ａに関して上述した二重吸光度凝固システムにおいて、蛍光基準から発出し、蛍光検出器に透過された蛍光信号の強度が、正常対照血漿の曲線（ａ）及び異常対照血漿の曲線（ｂ）によって表され、正常血漿試料及び異常血漿試料の両方において、蛍光信号は、凝固が開始し広がるにつれて減少し、凝固が完了したときに安定した値に達した。異常血漿は、凝固過程を開始し終了する時間が正常血漿よりも長くかかっている。
【００５４】
図１２Ａを参照すると、図２に関して上述した反射構成を使用する本発明の一実施形態が実現されている。図１２Ａに示すように、ＬＥＤ９６が光源として使用され、蛍光ドープガラスが光学基準７８として使用され、定量的蛍光検出器が光検出器ユニット９４として使用された。フィルタ９５Ａが、ＬＥＤ９６と２色性ミラー９７との間に配置された。第２のフィルタ９５Ｂが、検出器９４と２色性ミラー９７との間に配置された。血漿試料は、凝固試薬が導入された正常血漿試料（ａ）と水（凝固試薬ではない）が導入された対照正常試料（ｂ）とを含んでいた。凝固ありの血漿（ａ）及び凝固なしの血漿（ｂ）から得られた光信号が、図１２Ｂに示されている。蛍光信号は、試料（ａ）では、凝固が開始し広がるにつれて増加し、安定した値に達し、凝固が完了したときに安定した値に達した。対照（ｂ）は、同じ血漿試料を、しかし脱イオン水を添加して用いた（凝固は生じなかった）。
【００５５】
図１３は、光学データを処理して定量的凝固時間を得るための例示的な方法を示している。４つの工程でオリジナルデータは、最初に、正規化され（図１３Ａ）、冗長なデータ及び雑音を除去するためにフィルタ処理される（図１３Ｂ）。オリジナルデータの一次導関数（図１３Ｃ）が、光信号の最速変化が位置する時間スポットを識別するために実装される。一次導関数のピーク位置（図１３Ｄ）が凝固開始時間として使用される。他の方法を使用して、凝固過程を同様に定量的に調査することができる。
【００５６】
説明され例示された内容の様々な変更及び他の実装態様が、本発明の範囲及び趣旨から逸脱することなしに当業者には思い浮かぶであろう。本発明は、前の例示的な説明又は図面によってのみ定義されるべきでない。
【図１】
2019194622.tif 000003
【図２】
2019194622.tif 000004
【図３】
2019194622.tif 000005
【図４】
2019194622.tif 000006
【図５Ａ】
2019194622.tif 000007
【図５Ｂ】
2019194622.tif 000008
【図５Ｃ】
2019194622.tif 000009
【図５Ｄ】
2019194622.tif 000010
【図５Ｅ】
2019194622.tif 000011
【図６Ａ】
2019194622.tif 000012
【図６Ｂ】
2019194622.tif 000013
【図６Ｃ】
2019194622.tif 000014
【図６Ｄ】
2019194622.tif 000015
【図６Ｅ】
2019194622.tif 000016
【図６Ｆ】
2019194622.tif 000017
【図６Ｇ】
2019194622.tif 000018
【図７Ａ】
2019194622.tif 000019
【図７Ｂ】
2019194622.tif 000020
【図８Ａ】
2019194622.tif 000021
【図８Ｂ】
2019194622.tif 000022
【図８Ｃ】
2019194622.tif 000023
【図８Ｄ】
2019194622.tif 000024
【図８Ｅ】
2019194622.tif 000025
【図８Ｆ】
2019194622.tif 000026
【図８Ｇ】
2019194622.tif 000027
【図８Ｈ】
2019194622.tif 000028
【図８Ｉ】
2019194622.tif 000029
【図８Ｊ】
2019194622.tif 000030
【図８Ｋ】
2019194622.tif 000031
【図８Ｌ】
2019194622.tif 000032
【図９】
2019194622.tif 000033
【図１０Ａ】
2019194622.tif 000034
【図１０Ｂ】
2019194622.tif 000035
【図１１Ａ】
2019194622.tif 000036
【図１１Ｂ】
2019194622.tif 000037
【図１２Ａ】
2019194622.tif 000038
【図１２Ｂ】
2019194622.tif 000039
【図１３Ａ】
2019194622.tif 000040
【図１３Ｂ】
2019194622.tif 000041
【図１３Ｃ】
2019194622.tif 000042
【図１３Ｄ】
2019194622.tif 000043
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
試料を保持するための反応チャンバと、
励起光を、光学基準を介して前記反応チャンバに向ける励起光源と、
前記光学基準からの光信号を検出するための光検出器と、
を備え、
前記光学基準と前記反応チャンバの間の境界で、前記励起光の第１部分が前記反応チャンバ内に向かい、前記励起光の第２部分が前記光学基準に反転し、
前記光学基準が、前記励起光の前記第２部分を吸収し、
前記光学基準が、前記励起光の前記第２部分の吸収に応答して放出光を放出し、
前記光信号が、前記放出光を介して伝搬される、
アッセイシステム。
【請求項２】
前記光学基準が蛍光要素を備える、請求項１に記載のアッセイシステム。
【請求項３】
前記蛍光要素及び前記試料が、前記試料の凝固過程の動態に応答して、前記光学基準に到達する、又は前記光学基準から去る、変動する光エネルギーを提供し、前記光信号が、前記凝固過程の前記動態を示す蛍光信号の変動を含むよう、配置される、請求項２に記載のアッセイシステム。
【請求項４】
前記反応チャンバが、試料入口ポートと、反応流体出口ポートと、を備える、請求項１に記載のアッセイシステム。
【請求項５】
前記反応チャンバが、ルーメンと、平坦な第１の壁と、前記平坦な第１の壁と対向し、前記平坦な第１の壁と平行な平坦な第２の壁と、を備える、請求項１に記載のアッセイシステム。
【請求項６】
前記反応チャンバが、比色試薬を含まない前記試料を保持する、請求項１に記載のアッセイシステム。
【請求項７】
前記励起光源が、２０ｎｍから５０００ｎｍの範囲の特定の波長を提供する、請求項１に記載のアッセイシステム。
【請求項８】
前記励起光が、約２０ｎｍから約２０００ｎｍの範囲の波長にある、請求項１に記載のアッセイシステム。
【請求項９】
前記光検出器及び前記励起光源が一体化している、請求項１に記載のアッセイシステム。
【請求項１０】
前記平坦な第１の壁及び前記平坦な第２の壁が、それぞれ、約２０ｎｍから約５０００ｎｍの範囲の波長にある前記励起光に対して、光学的に透明である、請求項５に記載のアッセイシステム。
【請求項１１】
前記試料が、血漿及び血液からなる群から選択される、請求項１に記載のアッセイシステム。
【請求項１２】
前記光学基準が、光度計測、 蛍光、ラマン分光時間分解蛍光、及び表面増感ラマン分光からなる群から選択される光学技術により実現されることができる、請求項１に記載のアッセイシステム。
【請求項１３】
前記光学基準が、前記光学基準の一又は複数の壁に埋め込まれている、請求項１に記載のアッセイシステム。
【請求項１４】
前記光学基準が、基板の表面上を化学的又は物理的に被覆している、請求項１に記載のアッセイシステム。
【請求項１５】
前記光学基準が、蛍光ドープガラス、蛍光ステンドガラス、蛍光着色ガラス、及びラマン効果を示す蛍光材料からなる群から選択される、請求項１に記載のアッセイシステム。
【請求項１６】
凝固を検出する方法であって、
（ｉ）光信号を発生するための光学基準であって、蛍光要素を備える光学基準を備える光学構成システムを用意することと、
（ｉｉ）試料を保持するための反応チャンバを用意することと、
（ｉｉｉ）励起光源から励起光を、前記光学基準を介して、前記反応チャンバに伝搬させることであって、前記光学基準と前記反応チャンバの間の境界で、前記励起光の第１部分が前記反応チャンバ内に向かい、前記励起光の第２部分が前記光学基準に反転し、前記光学基準が、前記励起光の前記第２部分を吸収し、前記光学基準が、前記励起光の前記第２部分の吸収に応答して放出光を放出することと、
（ｉｖ）ステップ（ｉｉｉ）の前記光学基準からの前記放出光を光検出器に伝搬させることであって、前記光検出器が、前記光学基準からの較正された光信号を検出するように配置され、前記光信号が、前記反応チャンバの前記試料を通った前記放出光を介して伝搬されることと、
（ｖ）前記光信号を、前記システムにおける凝固時間を決定するための所定の標準と比較することと、
を含み、
前記蛍光要素及び前記試料が、前記試料の凝固時間の動態に応じて、前記光学基準に到達する、又は前記光学基準を去る、変動する光エネルギーを提供し、前記光信号が、前記凝固過程の前記動態を示す蛍光信号の変動を含むよう、配置される、
方法。
【請求項１７】
前記反応チャンバが、比色試薬を含まない前記試料を保持する、請求項１６に記載の方法。
【請求項１８】
前記励起光源が、２０ｎｍから５０００ｎｍの範囲の特定の波長を提供する、請求項１６に記載の方法。
【請求項１９】
前記励起光が、約２０ｎｍから約２０００ｎｍの範囲の波長にある、請求項１６に記載の方法。
【請求項２０】
前記光検出器及び前記励起光源が一体化している、請求項１６に記載の方法。
【請求項２１】
前記反応チャンバが、試料入口ポートと、反応流体出口ポートと、を備える、請求項１６に記載の方法。
【外国語明細書】
2019194622000001.pdf